(57)【特許請求の範囲】
【請求項１】
圧力タンクからの圧縮空気の制御の際に使用するための弁であって、圧力タンクが、出口が形成される壁面を含み、壁面が、内面および外面を有し、
使用時に圧力タンクの内部に配置される内側端部と、使用時に圧力タンクの外部に配置される外側端部とを有する、全体的に円筒形の構成の弁体と、
弁体中を延びる流路であって、弁体の内側端部においてまたはその隣に入口を有し、弁体の外側端部においてまたはその隣に出口を有する流路と、
流路を囲む弁座と、
弁を開き、また閉じるように、それぞれ弁座に向かって、また弁座から離れるように移動可能である弁閉止部材であって、ネックによって同軸に整列して保持されたピストンディスクと弁閉止ディスクとを有し、弁閉止ディスクが弁座と係合するときに流路が閉じられる、弁閉止部材と、
弁を作動させるために弁閉止部材を移動させるための作動手段とを備え、
弁体が、その内側端部においてまたはその隣に少なくとも１つの横方向に延びる取付け構造を有し、取付け構造は、内側端部および取付け構造が圧力タンクに出口を通って差し込まれることを可能にするように成形され寸法設定され、適位置にあるときには、取付け構造が、出口の隣の圧力タンクの壁面の内面と係合することを特徴とし、
弁は、出口に隣接する壁面の外面と係合するように取付け構造に向けて移動可能である取付けカラーを更に含み、それにより、取付け構造と取付けカラーの間で圧力タンクの壁面を締め付ける、弁。
【請求項２】
横方向に延びる取付け構造が、弁体の両側に１対の横方向に延びるフランジを含む、請求項１に記載の弁。
【請求項３】
フランジが、壁面の内面に載るように成形または輪郭付けされた面を有する、請求項２に記載の弁。
【請求項４】
弁座が、弁体の内側端部に隣接して配置され、弁が圧力タンクに動作可能に取り付けられているときに、弁閉止部材が、圧力タンクの内部に配置される、請求項１乃至３のいずれか一つに記載の弁。
【請求項５】
取付けカラーが、出口の周りに封止を形成するための封止手段を含む、請求項１乃至４のいずれか一つに記載の弁。
【請求項６】
取付けカラーが、壁面の外面に載るように成形または輪郭付けされた封止面を有する、請求項５に記載の弁。
【請求項７】
封止面が、環状の封止リングがその中に配置される環状の溝を有する、請求項６に記載の弁。
【請求項８】
取付けカラーが、その径方向内側面に封止リングを有し、この封止リングが、弁体の径方向の外面と共に封止を形成する、請求項７に記載の弁。
【請求項９】
取付けカラーが、弁体に形成されたねじ山とねじ係合しているユニオンナットによって移動可能である、請求項１乃至８のいずれか一つに記載の弁。
【請求項１０】
圧力タンクからの圧縮空気の制御の際に使用するための弁であって、圧力タンクが、出口が形成される壁面を含み、壁面が、内面および外面を有し、
使用時に圧力タンクの内部に配置される内側端部と、使用時に圧力タンクの外部に配置される外側端部とを画定する、全体的に円筒形の構成の弁体と、
弁体中を延びる流路であって、弁体の内側端部においてまたはその隣に入口を有し、弁体の外側端部においてまたはその隣に出口を有する流路と、
流路を囲む弁座と、
弁を開き、また閉じるように、それぞれ弁座に向けて、また弁座から離れるように移動可能である弁閉止部材であって、ネックによって同軸に整列して保持されたピストンディスクと弁閉止ディスクとを有し、弁閉止ディスクが弁座と係合するときに流路が閉じられる、弁閉止部材と、
弁を作動させるために弁閉止部材を移動させるための作動手段とを備え、
弁体が、弁体の内側端部と同軸に取り付けられるか、または弁体の内側端部上に形成されたシリンダを有し、弁閉止部材が、弁座に向かって、また弁座から離れるようにシリンダ内で摺動式であるピストンの形態であり、ピストンが、弁を閉じるために弁座と係合するように適合されることを特徴とする、弁。
【請求項１１】
シリンダが、シリンダを弁座と同軸に位置合わせして保持する複数のシリンダ支持アームによって弁体に連結され、複数のシリンダ支持アームの間の隙間が、流路に入口を画定する、請求項１０に記載の弁。
【請求項１２】
作動手段が、シリンダを空気に通気するか、またはピストンが弁座に対して移動するように高圧流体源を提供するように適合されたパイロット弁を備える、請求項１１に記載の弁。
【請求項１３】
シリンダが、複数のシリンダ支持アームの１つに沿って通るパイロット弁通路を介してパイロット弁に連結された、請求項１２に記載の弁。
【発明の詳細な説明】
【技術分野】
【０００１】
本発明は、例えば反転パルスのフィルタ清掃システムに採り入れられることがある、高圧空気パルスを制御するための弁に関する。
【背景技術】
【０００２】
反転パルスのフィルタ清掃システムがよく知られており、様々なシステムが、特定の用途に対する様々な程度の清掃効率を提供する、特定の属性を有する制御弁を有する。
一般的に、空気パルスを制御する弁が速く開くことができ、フィルタに衝突する高圧空気パルスが比較的シャープなピークを持つ圧力波を画成し、最も効果的な清掃または微粒子を除去する力をもたらすために、弁の中を通る妨げのない流路を有すべきであることが望ましい。
【０００３】
弁の開閉が速いと、システムの効率が改善される。閉じるのが遅い弁は、例えば、高圧空気を浪費する傾向があり、清掃システムの運転コストを上昇させる。同様に、開くのが遅い弁は、いくらか消散したピーク時のパルスを生み出す傾向があり、フィルタを清掃する際の効果が低下する。
【０００４】
フィルタ清掃動作に使用される弁は、時々修理またはメンテナンスを必要とする。また、典型的な用途では、嵌める必要がある多数の弁があり、したがって、弁を嵌め、かつメンテナンスのために取り外し交換することができる速度は、比較的重要である。したがって、どのような取付け配置（ｍｏｕｎｔｉｎｇ  ａｒｒａｎｇｅｍｅｎｔ）が使用されても、選択された特定の取付け配置によって弁の効率を損なうべきではないが、取付け配置は、好ましくは、採り入れるのに比較的直線的であるべきである。
【０００５】
典型的には、反転パルスを提供するために使用される高圧空気は、個々の弁が取り付けられる導管またはタンクに運搬または供給される。タンクは、通常は、空気量が不十分なことによってパルスの効率を低下させることなしに、個々の弁が、必要とされるように連続して動作することが可能になるのに十分な容量のものである。したがって、ほとんどのシステムでは、容量が比較的大きいタンクが採り入れられ、個々の弁がタンクに取り付けられ、各弁が清掃するフィルタエレメントの上方に位置する。圧縮空気を安全に収容するためには、このようなタンクは、典型的には円筒形の構成であり、したがって、タンク上の個々の弁の取付け配置を難しくする湾曲した壁面に個々の弁を取り付ける必要がある。あるいは、弁を、フィルタの列全体を清掃することができるように提供することができ、フィルタは、典型的には一連の穴を有する形状の送風管の下方につるされ、各穴は清掃のための空気を各フィルタに分配するようにフィルタエレメントに対応する。
【発明の開示】
【発明が解決しようとする課題】
【０００６】
【課題を解決するための手段】
【０００７】
本明細書の第１の態様によれば、圧力タンクからの圧縮空気の制御の際に使用するための弁であって、圧力タンクが、出口が形成される壁面を含み、壁面が、内面および外面を有し、使用時に圧力タンクの内部に配置される内側端部と、使用時にタンクの外部に配置される外側端部とを有する、全体的に円筒形の構成の弁体と、弁体中を延びる流路であって、本体の内側端部においてまたはその隣に入口を有し、本体の外側端部においてまたはその隣に出口を有する流路と、流路を囲む弁座と、弁を開き、また閉じるように、それぞれ弁座に向かって、またそこから離れるように移動可能である弁閉止部材（ｖａｌｖｅ  ｃｌｏｓｕｒｅ  ｍｅｍｂｅｒ）と、弁を作動させるために弁閉止部材を移動させるための作動手段とを備え、弁体が、その内側端部においてまたはその隣に少なくとも１つの横方向に延びる取付け構造（ｍｏｕｎｔｉｎｇ  ｆｏｒｍａｔｉｏｎ）を有し、取付け構造が、内側端部および取付け構造が圧力タンクに出口を通って差し込まれることを可能にするように成形され寸法設定され、適位置にあるときには、取付け構造が、出口の隣のタンクの壁面の内面と係合することを特徴とし、開口部に隣接する壁面の外面と係合するように、取付け構造に向けて移動可能である取付けカラーを含み、それにより、取付け構造と取付けカラーの間でタンク壁面を締め付ける弁が提供される。
【０００８】
横方向に延びる取付け構造が、好ましくは、弁体の両側に１対の横方向に延びるフランジを含む。好ましくは、フランジは、壁面の内面に載るように輪郭付けされた下面を有する。
【０００９】
弁座は、弁体の内側端部に隣接して配置することができ、弁閉止部材は、弁がタンクに動作可能に取り付けられるときに圧力タンクの内部に配置される。
好ましくは、取付けカラーは、出口の周りに封止を形成するための封止手段を含む。取付けカラーは、壁面の外面に載る封止面を有することができる。封止面は、環状の封止リングが配置された環状の溝をその中に有することができる。カラーは、その径方向内側面に封止リングを有することができ、その封止リングは、弁体の径方向外面と共に封止を形成する。取付けカラーは、好ましくは、弁体に形成されるねじ山とねじ係合しているユニオンナットによって移動可能である。
【００１０】
本発明の第２の態様によれば、圧力タンクからの圧縮空気の制御の際に使用するための弁であって、圧力タンクが、出口が形成される壁面を含み、壁面が、内面および外面を有し、使用時に圧力タンクの内部に配置される内側端部と、使用時にタンクの外部に配置される外側端部とを画定する、全体的に円筒形の構成の弁体と、弁体中を延びる流路であって、本体の内側端部においてまたはその隣に入口を有し、本体の外側端部においてまたはその隣に出口を有する流路と、流路を囲む弁座と、弁を開き、また閉じるように、それぞれ弁座に向かって、またそこから離れるように移動可能である弁閉止部材と、弁を作動させるために弁閉止部材を移動させるための作動手段とを備え、弁体が、弁体の内側端部と同軸にそれに取り付けられるか、またはその上に形成されたシリンダを有し、弁閉止部材が、弁座に向けて、またそれから離れるようにシリンダ内で摺動式であるピストンの形態であり、ピストンが、弁を閉じるために弁座と係合するように適合されることを特徴とする弁が提供される。
【００１１】
好ましくは、シリンダは、シリンダを弁座と同軸に整列して保持する、複数のシリンダ支持アームによって弁体に連結され、アームの間の隙間は、流路に入口を画定する。
作動手段は、好ましくは、シリンダを空気に通気するか、またはピストンが弁座に対して移動するように高圧流体源を提供するように適合されたパイロット弁を備える。シリンダは、好ましくは、前記シリンダ支持アームの１つに沿って通るパイロット弁通路を介してパイロット弁に連結される。
【００１２】
本発明のさらなる特徴は、ピストンディスクおよび弁閉止ディスク備え、使用時に弁の弁座と共に封止するように適合された弁閉止部材であって、２枚のディスクが、スピンドルによって一緒に同軸に保持され、ピストンディスクが、周囲縁部の周りを延びる封止リングを有し、弁閉止ディスクが、その周囲縁部に、使用時に弁閉止ディスクを弁座と位置合わせして維持するのを助ける案内面を有する弁閉止部材を提供する。
【００１３】
本発明のこれらのおよびさらなる特徴は、例示によって以下に与えられる本発明の実施形態の説明から明らかにされるであろう。説明の際に、添付の図面を参照するが、図面に示された特定の特徴を、本発明に対する限定として解釈すべきではない。
【発明を実施するための最良の形態】
【００１４】
最初に図１から図５を参照すると、弁体１０は、単体の注入成形品として形成され、内側端部１２および外側端部１４を有する全体的に円筒形の構成である。内側端部１２は、図２に１６で概略的に示された圧力タンク内に全体的に取り付けられ、内側端部１２はタンクの内側、外側端部１４はタンクの外側にある。流路１８が弁体中を通って延び、流路１８は、入口２０および出口２２を有する。弁座２４が流路１８を囲み、以下により詳細に説明するように、ピストンタイプの弁閉止部材によって開閉される。
【００１５】
シリンダ２６が、弁体の内側端部に位置し、以下に詳細に説明するピストンタイプの弁閉止部材２８を摺動式に含む。シリンダ２６は、図面の図７および図８に最も明確に示すように、着脱可能な端部壁面２９を備える。シリンダ２６は、１対のシリンダ支持アーム３０によって弁体の受け台に連結される。支持アームの間の隙間３２は、弁が開いているときに高圧空気がその中を通って流路１８に入る、流路１８への入口を提供する。
【００１６】
弁は、パイロット弁口３４に直接または間接的に連結されたパイロット弁（図示せず）によって開閉される。図面の図８に明確に示すように、パイロット弁口３４は、パイロット弁の流路３６に連結され、弁閉止部材を作動させるためにシリンダ２６の内部に連結される。これらの態様を以下でより詳細に考察する。
【００１７】
弁体は、取り付けのために、弁体の内側端部の近くに配置される外側に向けられた１対のフランジ４０を備える。それらのフランジ４０は、タンク１６の壁面の出口４２に嵌まるように成形され寸法設定される。図２に概略的に示すように、タンク１６は、内面４４および外面４６を有し、弁が適切に出口４２に取り付けられているときに、フランジ４０は、弁体をタンクに堅固に保持するために内面４４に載る。
【００１８】
典型的には、タンク１６は、円筒形の構成であり、したがって、弁体が取り付けられる壁面は湾曲している。したがって、フランジ４０の下面４８は、タンクの曲率に合うように湾曲する。
【００１９】
最初に一方のフランジ４０をタンクの内部に、次いでもう一方のフランジをタンクに差し込むように弁体を操作することによって、両方のフランジ４０がタンクの内部に配置されタンクの内面４４に載るように、出口４２の直径が選択される。こうした配置を実現するには、フランジ４０の周囲縁部の両側間の最大距離が、出口４２の直径より大きくなる。すなわち、フランジ４０はそれぞれ、出口４２の両側に載り、弁が壁面に垂直であるときに弁を取り出すことは不可能になる。この点において、弁体は、図面の図６に示すような取付けカラー５０を使用して適位置に締め付けられる。
【００２０】
図面の図１に示すように、弁体１０は、中心領域５２を含み、その中心領域５２は、下側のねじ切り部分５４を有し、上側の平滑部分５６を有する。カラー５０の内面５８は、その平滑な面５６上で滑り嵌めであり、図面の図７および図８に示すユニオンナット６０を使用して、取付けカラー５０をタンク１６の外面４６に押し付ける。
【００２１】
したがって、最初に弁体がタンクに差し込まれるときには、取付けカラー５０は、後退した位置にあり、すなわち、ユニオンナット６０が弁体の出口端部１４に向かってねじ回しされている。一度フランジ４０がタンクの内側に配置されると、ユニオンナット６０は、反対方向にねじ回しされ、それにより、取付けカラー５０をタンクの外面４６に係合させる。
【００２２】
出口４２の周りに確実に封止を形成するために、取付けカラーは１対の封止材を有する。取付けカラー６０の、タンクに接触する面、すなわち、図面の図６に示す封止面６２は、タンクの円筒形の形状に沿うように鞍の形状をしている。封止面６２に環状の溝６４が形成され、その環状の溝６４は、タンクの外面４６と流体密封の封止材を形成するＯリングなど（図示せず）を受ける。
【００２３】
同様に、取付けカラーの径方向内側の面５８は、その中に環状の溝６６を有し、その環状の溝６６も、その内面５８が弁体の平滑面５６と共に封止することができるように、Ｏリングなどの封止材を受ける。取付けカラー５０がタンクの外面４６と堅固に係合するときに、これら２つの封止材が出口４２を封止することが理解されよう。
【００２４】
ユニオンナット６０は、レンチなどの適切な工具を使用して、適位置に全体的にねじ止めされる。できるだけ滑らかに取付けカラー５０の押付けを行うように、取付けカラー５０とユニオンナット６０の間に座金６８が提供される。ユニオンナット６０を確実に滑らかに締め付けるように、座金６８を摩擦係数が比較的低い高分子材料から形成することができる。あるいは、座金６８をエラストマー材料から形成することができる。
【００２５】
本明細書で説明したタイプの弁を圧力タンクに取り付けるために、必要とされるものは正確な直径だけであり、タンクの壁面に出口を開ける必要があり、その後、さらなる穴あけ、取付けねじ、固定クリップ、または他の取付け具を必要とせずに、弁体を適位置に嵌めることができることが理解されよう。一度フランジ４０が出口を通して正確に差し込まれると、必要とされるものは、ユニオンナットが締め付けられ、それにより、取付けカラーを押し付けて、締め付けられ封止された構成にすることである。
【００２６】
当然のことながら、本明細書で説明したユニオンナット６０とは異なる押付け手段を使用することが可能である。例えば、複数の個々のねじ留め手段を採り入れることができる。しかし、圧力タンクに単一の出口を単に開けることによって、弁体を適位置に取り付けることができることが有利であると考えられる。
【００２７】
弁閉止部材２８およびシリンダ２６が、タンクの内部、すなわち、流路１８の上流に配置されることが理解されよう。弁閉止機構は、比較的移動が短いピストンである。ピストン２８は、２つのディスク、すなわち、ピストンディスク７０および弁閉止ディスク７２から形成される。それら２つのディスクは、本実施形態では直径の小さいスピンドルまたはネック７４によって、同軸に整列して保持される。ピストンディスク７０は、周囲縁部７６を有し、その周囲縁部７６は、Ｏリングの封止材などがそこに配置される溝７８を含む。ピストンディスク７０は、弁座２４に向かって、また離れるようにシリンダ２６内を摺動する。図８から明らかであるように、封止ディスク７２が弁座２４と係合するときに、流路１８が閉じられ、弁の中を通る流れが不可能になる。
【００２８】
図８に示す実施形態では、弁閉止部材２８は、端部キャップ２９と弁閉止部材２８との間で作用する圧縮ばね８０によるばね補助式である。他のまたは代替の実施形態では、ばねによる補助を弁閉止部材２８に提供する必要はない。さらに、端部キャップ２９は、ブリード通路８２を含み、そのブリード通路８２は、圧力タンク内のそこからの圧縮空気が弁閉止部材２８の下面に作用して、弁閉止部材２８を弁座２４に向けて、すなわち、閉位置に向けて押しやることを可能にする。弁を開くにためには、パイロット弁は空気に開放されており、シリンダ内の弁閉止部材２８の背後の圧縮空気を、口３４を通して排気することが可能になり、したがって、圧縮空気がピストンディスク７０の下面８４に作用し、それにより、弁閉止部材２８を開位置に押しやる。下面８４は比較的面積が大きいので、弁閉止部材の背後の圧縮空気が排出されるとすぐに、弁の速い開放が行われる。弁を閉じるためには、パイロット弁を使用して口３４を閉じ、それにより圧縮空気がブリード通路８２を通してシリンダ中に入ることが可能になり、それにより弁閉止部材２８を弁座２４に動かし、それにより弁を速く閉じる。
【００２９】
当然のことながら、パイロット通路３６を通ってシリンダ２６に入る高圧空気を使用して弁を作動させることが可能である。弁は、上述のものとは異なる構成のものであることが必要になるが、基本的に、弁は、逆に作動することになり、すなわち、高圧空気を使用することが、弁を閉じたままにするために使用され、その高圧空気を放散することにより、弁を開くように作動させる。
【００３０】
弁閉止ディスク７２が、シリンダ支持アーム３０の内部に形成された案内面８８と摺動式に接触する外周部８６を有することに留意されたい。これらの案内面８８は、シリンダ２６の内面と一緒に、弁閉止部材２８を弁座２４と位置合わせして保持するように働き、すなわち、弁閉止部材２８が弁座２４に向かって、またそこから離れるように動くときに、封止ディスク７２の下面９０は弁座２４に平行である。
【００３１】
弁閉止部材２８を高品質のナイロン材料など、比較的計量のプラスチック材料から形成することができることが想定される。開閉運動の過酷さに耐え、しかも使用中に変形しない、適切なプラスチック材料を成形し、したがって比較的安価にすることができる。
【００３２】
ピストンタイプの弁閉止部材の様々な異なる実施形態を、図面の図９から図１１に示し、図９は、ブリード通路９２を含む弁閉止部材を有する。図１０は、圧縮ばねなしで使用される、ブリード通路のない弁閉止部材を示し、図１１は、その上側表面に、図面の図８に示すタイプの圧縮ばねを配置する環状の溝９４を有する弁閉止部材を示す。明らかに、図９から図１１に示す弁閉止部材はそれぞれ、上記で説明したようにして適切なプラスチック材料から成形され、それぞれ溝７８と、上記で参照される目的で案内面８６を含む。
【００３３】
本明細書で開示され定義された本発明は、文書または図面から言及されるかまたは明らかである２つ以上の個々の特徴を代替の組合せ全てに拡張することが理解されよう。これらの異なる組合せの全てが、本発明の様々な代替の態様を構成する。
【００３４】
本明細書で使用される用語「ｃｏｍｐｒｉｓｅｓ（備える、含む）」（またはその文法上の変形体）は、用語「ｉｎｃｌｕｄｅｓ（含む）」と等価であり、他の要素または特徴の存在を除外すると取るべきではないことも理解されよう。
【図面の簡単な説明】
【００３５】
【図１】本発明による弁のための弁体の斜視図である。
【図２】図１に示す弁体の側面図である。
【図３】図１に示す弁体の平面図である。
【図４】図２に示す側面図に対して９０度の、図１に示す弁体の側面図である。
【図５】図４に示す線Ｖ−Ｖに沿った断面図である。
【図６】弁体をタンクに取り付ける際に使用するためのカラーの斜視図である。
【図７】弁に装着されたカラーおよび固定ナットを備えた、図２と同様の図である。
【図８】図７に示す線ＶＩＩＩ−ＶＩＩＩに沿った断面側面図である。
【図９】図１に示す弁体に使用するための弁閉止部材の斜視図である。
【図１０】図１に示す弁体に使用するための弁閉止部材の斜視図である。
【図１１】図１に示す弁体に使用するための弁閉止部材の斜視図である。
【図１】
0005266052.tif 000002
【図２】
0005266052.tif 000003
【図３】
0005266052.tif 000004
【図４】
0005266052.tif 000005
【図５】
0005266052.tif 000006
【図６】
0005266052.tif 000007
【図７】
0005266052.tif 000008
【図８】
0005266052.tif 000009
【図９】
0005266052.tif 000010
【図１０】
0005266052.tif 000011
【図１１】
0005266052.tif 000012